(57)【要約】【課題】立体表示面を全方位方向に投影する光学系であって、投影像距離によらず鮮明に投影又は結像させるためのピント調整が可能な光学系。【解決手段】３６０°全方位方向からの映像を円錐状の像面３に結像させる光学系、又は、３６０°全方位方向に円錐状の表示面３の表示像を投影する光学系であって、像面又は表示面３の回転中心軸１を回転対称軸とする回転対称な少なくとも１つの反射面２を有する光学系において、像面又は表示面３を回転中心軸１方向に移動調節することでピント調整可能になっている光学系。【選択図】図１
2007183308.tif 000002
【特許請求の範囲】
【請求項１】
３６０°全方位方向からの映像を円錐状の像面に結像させる光学系、又は、３６０°全方位方向に円錐状の表示面の表示像を投影する光学系であって、前記像面又は表示面の回転中心軸を回転対称軸とする回転対称な少なくとも１つの反射面を有する光学系において、
前記像面又は表示面を前記回転中心軸方向に移動調節することでピント調整可能になっていることを特徴とする光学系。
【請求項２】
３６０°全方位方向からの映像を回転対称な立体形状の像面に結像させる光学系、又は、３６０°全方位方向に回転対称な立体形状の表示面の表示像を投影する光学系であって、前記像面又は表示面の回転中心軸を回転対称軸とする回転対称な少なくとも１つの反射面を有する光学系において、
屈折率が１より大きな透明媒質からなり、前記回転中心軸を含む断面において断面が楔形状をしていてその楔形状体の外側に位置する前記回転中心軸の周りにその楔形状を回転させて形成される輪帯状のピント調整用光学素子を少なくとも１つ有し、そのピント調整用光学素子を前記回転対称軸方向に移動調節することでピント調整可能になっていることを特徴とする光学系。
【請求項３】
前記ピント調整用光学素子を前記反射面と前記像面又は表示面の間に配置したことを特徴とする請求項２記載の光学系。
【請求項４】
前記像面又は表示面は円筒面、球面、円錐面等の回転対称な曲面であることを特徴とする請求項２又は３記載の光学系。
【請求項５】
前記反射面はトーリック面で形成される回転対称な形状を有することを特徴とする請求項１から４の何れか１項記載の光学系。
【請求項６】
前記反射面は回転対称軸を含む断面内の対称面を持たない任意形状の線分を回転対称軸の周りで回転させて形成される回転対称な形状を有することを特徴とする請求項１から４の何れか１項記載の光学系。
【請求項７】
前記反射面は回転対称軸を含む断面内の奇数次項を含む任意形状の線分を回転対称軸の周りで回転させて形成される回転対称な形状を有することを特徴とする請求項１から４の何れか１項記載の光学系。
【請求項８】
前記光学系は、前記回転対称軸上又はその近傍にサジタル方向の入射瞳とサジタル方向の射出瞳を有し、３６０°全方位方向からの順光線追跡又は逆光線追跡の光は、入射瞳、反射面、像面又は表示面、射出瞳の順に進む偏心光路をとることを特徴とする請求項１から７の何れか１項記載の光学系。
【請求項９】
前記反射面近傍にメリジオナル方向の絞りを有することを特徴とする請求項１から８の何れか１項記載の光学系。
【発明の詳細な説明】
【技術分野】
【０００１】
本発明は、光学系に関し、特に、立体形状の表示面、例えば円筒、球、円錐状の表示面を回転中心上を使わないで３６０°全方位方向に投影したり、３６０°全方位からの映像を例えば円筒、球、円錐状の立体形状の撮像面に撮像する光学系であって、ピント調整を可能にした光学系に関するものである。
【背景技術】
【０００２】
従来、３６０°のスクリーンに映像を投影する場合には、複数台のプロジェクターからの映像をスクリーン上で繋ぎ合わせるか、魚眼レンズ等の広角な光学系により投影していた。そのような従来技術としては、特許文献１〜７に記載のものがある。
【特許文献１】米国特許出願公開第２００４／８４２３号明細書
【特許文献２】特公平６−８５０１９号公報
【特許文献３】米国特許第５４７３４７４号明細書
【特許文献４】米国特許第３２８３６５３号明細書
【特許文献５】米国特許第３５５２８２０号明細書
【特許文献６】米国特許第６６１１２８２号明細書
【特許文献７】米国特許第６５９７５２０号明細書
【発明の開示】
【発明が解決しようとする課題】
【０００３】
しかしながら、従来の３６０°全方位へ投影する場合あるはその逆の場合、単数又は複数の平面から円筒面あるいは球面上に投影したりその逆の結像を行わせるものであり、例えば円筒、球、円錐状の面から円筒面あるいは球面上に投影したりその逆の結像を行わせるものはなかった。
【０００４】
ところで、有機ＥＬ表示素子を取り上げると明らかなように、今後の表示素子や撮像素子は、円筒面、球面、円錐面等の回転対称な曲面を表示面としたり撮像面とする表示素子、撮像素子が十分可能である。
【０００５】
本発明は従来技術のこのような状況に鑑みてなされたものであり、その目的は、例えば円筒、円錐状、球の立体表示面を全方位方向に投影したり、全方位からの映像をそのような立体形状の撮像面に撮像する光学系であって、投影像距離又は物点距離によらず鮮明に投影又は結像させるためのピント調整が可能な光学系を提供することである。
【課題を解決するための手段】
【０００６】
上記目的を達成する本発明の光学系は、３６０°全方位方向からの映像を円錐状の像面に結像させる光学系、又は、３６０°全方位方向に円錐状の表示面の表示像を投影する光学系であって、前記像面又は表示面の回転中心軸を回転対称軸とする回転対称な少なくとも１つの反射面を有する光学系において、
前記像面又は表示面を前記回転中心軸方向に移動調節することでピント調整可能になっていることを特徴とするものである。
【０００７】
本発明のもう１つの光学系は、３６０°全方位方向からの映像を回転対称な立体形状の像面に結像させる光学系、又は、３６０°全方位方向に回転対称な立体形状の表示面の表示像を投影する光学系であって、前記像面又は表示面の回転中心軸を回転対称軸とする回転対称な少なくとも１つの反射面を有する光学系において、
屈折率が１より大きな透明媒質からなり、前記回転中心軸を含む断面において断面が楔形状をしていてその楔形状体の外側に位置する前記回転中心軸の周りにその楔形状を回転させて形成される輪帯状のピント調整用光学素子を少なくとも１つ有し、そのピント調整用光学素子を前記回転対称軸方向に移動調節することでピント調整可能になっていることを特徴とするものである。
【０００８】
この場合、前記ピント調整用光学素子を前記反射面と前記像面又は表示面の間に配置することが望ましい。
【０００９】
また、前記像面又は表示面は円筒面、球面、円錐面等の回転対称な曲面とすることができる。
【００１０】
また、前記反射面は、トーリック面で形成される回転対称な形状を有するもの、回転対称軸を含む断面内の対称面を持たない任意形状の線分を回転対称軸の周りで回転させて形成される回転対称な形状を有するもの、回転対称軸を含む断面内の奇数次項を含む任意形状の線分を回転対称軸の周りで回転させて形成される回転対称な形状を有するものとすることができる。もちろん、球面でもよい。
【００１１】
また、前記光学系は、前記回転対称軸上又はその近傍にサジタル方向の入射瞳とサジタル方向の射出瞳を有し、３６０°全方位方向からの順光線追跡又は逆光線追跡の光は、入射瞳、反射面、像面又は表示面、射出瞳の順に進む偏心光路をとるようにすることができる。
【００１２】
さらに、前記反射面近傍にメリジオナル方向の絞りを有するようにすることができる。
【００１３】
以上の本発明によると、全方位からの映像を例えば円筒、円錐状の立体撮像面に撮像したり、そのような立体形状の表示面を遠方の全方位に投影する光学系において、直線移動のピント調整により任意の撮像距離又は投影距離でも解像力の良い撮像光学系又は投影光学系を得ることができる。
【発明を実施するための最良の形態】
【００１４】
以下、実施例に基づいて本発明の光学系について説明する。投影系の場合は逆追跡での説明であり、撮像系の場合は順追跡の順番で説明する。
【００１５】
円筒状、円錐状又は球状の表示面を持つ表示素子に表示された映像を、その周りの３６０°全周方向に投影するようにすることにより投影系をシンプルで小型にすることが可能となる。従来の透過レンズで構成する場合には、円筒状の表示面の周囲に複数の透過レンズ系を放射上に配置し、全周に投影する方法が考えられるが、この方法では、各透過レンズ系同士の位置調整を厳密に行わないと、投影された映像が繋がらない。
【００１６】
撮像系の場合は、３６０°全方位からの映像を円筒状、円錐状又は球状の撮像面を持つ撮像素子で撮像するようにすることにより撮影系をシンプルで小型にすることが可能となる。従来の透過レンズで構成する場合には、円筒状の撮像面の周囲に複数の透過レンズ系を放射上に配置し、全周から円筒状の撮像面上に結像させる方法が考えられるが、この方法では、各透過レンズ系同士の位置調整を厳密に行わないと、円筒状の撮像面上に結像された映像が繋がらない。
【００１７】
また、各光学系（投影系の場合は投影レンズ系、撮像系の場合は撮影レンズ系）の像面は一方向についてのみ湾曲するシリンドリカル面になるので、これを補正するためには回転非対称な光学面を用いる必要があり、製作が難しくなる。
【００１８】
また、先行技術のような光学系では、３６０°の全方位の映像は平面上の円環状の映像として結像される（投影系の場合はそのような表示像を形成する）ために、観察するときにはそのように歪んだ映像を電子的に正しい像に変換することが必要である。また、投影系の場合は正しい像をそのように円環状に歪んだ映像に電子的に変換する必要がある。
【００１９】
そこで、本発明では、以上のような回転対称な立体形状の物体面を投影するために、少なくとも１つの回転対称な反射面を有するように構成したものである。
【００２０】
図１は、後記の実施例１の光学系の回転中心軸（回転対称軸）１を含む断面図であり、遠方の全周に回転中心軸１の周りで回転対称な立体形状、この実施例では円錐面の物体面３を投影するか、光路を逆にして撮像面３に結像させる光学系であり、少なくとも１つの回転中心軸１の周りで回転対称な円環状の反射面２を有するものである。
【００２１】
さらに好ましくは、この回転対称な反射面２に正のパワーを持たせることにより、無限遠の物点の映像を円筒状、円錐状又は球状の物体面（撮影系の場合は撮像面）３に結像させるか、円筒状、円錐状又は球状の物体面（投影系の場合は表示面）３を無限遠の像点に投影することができる（図１の場合は、物体面（投影系の場合は表示面）３は円錐状の面）。
【００２２】
さらに、撮像系で説明すると、撮像面３自体で物体から反射面に入射する光線を遮断しないように、回転対称軸（回転中心軸）１方向に入射瞳４、射出瞳５位置の順に配置し、反射面２と像面（物体面）３は回転対称軸１の軸外に配置する偏心配置をとることが重要であり、この場合、光が入射瞳４、反射面２、像面（物体面）３、射出瞳５の順の進むように偏心光路の配置にすることが好ましい。
【００２３】
さらに好ましくは、上記のような配置をとると、光束は屈曲した偏心配置をとるために、偏心収差が発生する。特に画面上下方向（回転中心軸１に沿う方向）の中心でも非対称な非点収差が発生する。これを補正するために、反射面２としては、球面ではなく、回転対称軸１方向とこれと直交する方向では曲率が異なるトーリック面を用いることが好ましい。
【００２４】
さらに好ましくは、反射面２は回転中心軸１を含む断面内で対称面を持たない任意形状の線分を回転対称軸１の周りで回転させて形成される回転対称な形状にすることが好ましい。この形状により、反射面２の回転対称軸１方向の上下で部分的な曲率半径を異ならせることが可能となり、偏心のコマ収差と、偏心の像面湾曲を補正することが可能となる。
【００２５】
さらに好ましくは、反射面２は回転中心軸１を含む断面内で奇数次項を含む任意形状の線分を回転対称軸１の周りで回転させて形成される回転対称な形状にすることにより、さらに自由度の高い補正を行うことが可能となり、収差補正上好ましい。
【００２６】
撮像光学系に使う場合には、不要な光線を遮蔽する角度制限手段を有することが望ましく、例えば回転対称軸１上に配置された開口等で制限することも可能である。
【００２７】
また、投影光学系の場合は、表示素子の表示面３を射出する光線の角度を制限するために、表示素子の表示面３を照明する照明手段として角度特性を有するものを用いるとよい。
【００２８】
以上説明したように、本発明は、３６０度の全方位に映像を諸収差なく投影することが可能な光学系でありながら、回転中心軸１に対して回転対称な形状の反射面２で光学系を構成することが可能である。回転対称な素子は一般的な回転対称非球面と同様な加工法で加工できるので、安価に製作することが可能である。
【００２９】
さて、図１のように、少なくとも１つの回転対称な反射面２を有し、遠方の全周に回転対称な円錐状の物体面３を投影する光学系、あるいは、遠方の全方位からの映像を円筒状、円錐状又は球状の像面３に結像させて撮像する光学系において、ピント調整することを考える。
【００３０】
従来の光学系では、３６０°の全方位からの映像を平面の撮像素子上に投影する構成をとっており、撮像面と撮像光学系の距離を調整することにより、ピント調整を行うことが可能であった。しかし、上記のように、立体形状の撮像面又は表示面を用いる本発明の光学系では、光学系と撮像面の距離を調整することは、光学系又は撮像素子、表示素子が剛体の場合不可能である。
【００３１】
そこで、本発明では、第１に図１の例のように、撮像面（像面）３又は表示面（物体面）３の立体形状を円錐状にして、回転中心軸１方向に移動調節可能にすることによって、光学系（図１の場合は、反射面２のみからなる）と像面又は表示面３との距離が実質的に変化するようにすることにより、ピント調整が可能にしている。
【００３２】
また、本発明では、第２に、図９に後記の実施例３の光学系の回転中心軸（回転対称軸）１を含む断面図を示すように、屈折率が１より大きな透明媒質からなり、回転中心軸１を含む断面図において断面が楔形状をしていてその楔形状体の外側に位置する回転中心軸１の周りにその楔形状を回転させて形成される輪帯状のピント調整用光学素子６を少なくとも１つ有し、そのピント調整用光学素子６を回転対称軸１方向に調節可能にすることによって、立体形状の撮像面又は表示面を変形することなく撮像映像又は投影像のピント調整を可能としている。この場合も、輪帯状のピント調整用光学素子６を回転対称軸１方向に移動させてピント調整を行うことにより、移動構造を簡略化することが可能となる。
【００３３】
そして、好ましくは、図９に示すように、ピント調整用光学素子６は、反射面２と像面又は表示面３の間に配置することが好ましい。反射面２と像面（表示面）３の間は光束が集光しており、投影倍率の変化が比較的大きく、ピント調整用光学素子６の少ない移動量でピント調整を行うことが可能となる。他の場所では、本発明の光学系のように光路を折り返している光学系では移動量が多くなり、光線を遮光してしまう可能性が高くなる。
【００３４】
本発明のピント調整用光学素子６は、遠方の物体側から順に、サジタル断面（図１、図９の面に垂直な断面）の入射瞳、反射面２、サジタル断面の射出瞳の順に配置され、前記サジタル断面の入射瞳とサジタル断面の射出瞳は回転対称軸１上に配置されている撮像光学系（投影光学系）と共に用いるとことが望ましい。これにより、上下方向の画角を広くとった全方位光学系を構成することが可能となる。
【００３５】
さらに好ましくは、本発明のピント調整用光学素子６の面を球面、トーリック面、回転自由曲面で構成することが収差補正上好ましい。
【００３６】
以上説明したように、本発明は、遠方の３６０°全方位方向からの映像を円筒状、円錐状又は球状の立体形状の像面に結像させる撮影光学系、及び、円筒状、円錐状又は球状の立体形状の表示面を持つ表示素子に表示された映像をその周りの遠方の３６０°全周に投影する投影光学系において、円錐状の像面又は表示面を回転対称軸方向に移動するか、断面が楔形状をしていてその楔形状体の外側に位置する回転中心軸の周りにその楔形状を回転させて形成される輪帯状のピント調整用光学素子を回転対称軸方向に移動することにより、３６０°全方位の映像を一度にピント調整することが可能な光学系に関するものである。
【００３７】
以下に、本発明の光学系の実施例１〜４を説明する。これら光学系の構成パラメータは後記する。これら実施例の構成パラメータは、例えば図１に示すように、遠方の物体面（像面３と共役な遠方の物点を意味する。）から回転中心軸１を含むように設定された基準面（座標（Ｘ，Ｙ，Ｚ）の原点）を通り、入射瞳４に向かい、反射面２を経て像面３に至る順光線追跡の結果に基づくものである。
【００３８】
座標系は、順光線追跡において、例えば図１に示すように、入射瞳４（実施例４の場合は、サジタル面における入射瞳４ｓ）を回転中心軸１に投影した基準面位置を偏心光学系の偏心光学面の原点とし、回転中心軸１の像面３から離れる方向をＹ軸正方向とし、図１の紙面内をＹ−Ｚ平面とする。そして、図１の紙面内のいま考えている像面の側と反対側の方向をＺ軸正方向とし、Ｙ軸、Ｚ軸と右手直交座標系を構成する軸をＸ軸正方向とする。
【００３９】
偏心面については、その面が定義される座標系の上記光学系の原点の中心からの偏心量（Ｘ軸方向、Ｙ軸方向、Ｚ軸方向をそれぞれＸ，Ｙ，Ｚ）と、光学系の原点に定義される座標系のＸ軸、Ｙ軸、Ｚ軸それぞれを中心とする各面を定義する座標系の傾き角（それぞれα，β，γ（°））とが与えられている。その場合、αとβの正はそれぞれの軸の正方向に対して反時計回りを、γの正はＺ軸の正方向に対して時計回りを意味する。なお、面の中心軸のα，β，γの回転のさせ方は、各面を定義する座標系を光学系の原点に定義される座標系のまずＸ軸の回りで反時計回りにα回転させ、次に、その回転した新たな座標系のＹ軸の回りで反時計回りにβ回転させ、次いで、その回転した別の新たな座標系のＺ軸の回りで時計回りにγ回転させるものである。
【００４０】
また、各実施例の光学系を構成する光学作用面の中、特定の面とそれに続く面が共軸光学系を構成する場合には面間隔が与えられており、その他、面の曲率半径、媒質の屈折率、アッベ数が慣用法に従って与えられている。
【００４１】
なお、非球面は、以下の定義式で与えられる回転対称非球面である。
【００４２】
Ｚ＝（Ｙ2 ／Ｒ）／［１＋｛１−（１＋ｋ）Ｙ2 ／Ｒ2 ｝1 /2］
＋ａＹ4 ＋ｂＹ6 ＋ｃＹ8 ＋ｄＹ10＋・・・
・・・（ａ）
ただし、Ｚを光の進行方向を正とした光軸（軸上主光線）とし、Ｙを光軸と垂直な方向にとる。ここで、Ｒは近軸曲率半径、ｋは円錐定数、ａ、ｂ、ｃ、ｄ、…はそれぞれ４次、６次、８次、１０次の非球面係数である。この定義式のＺ軸が回転対称非球面の軸となる。
【００４３】
また、トーリック面にはＸトーリック面とＹトーリック面があり、それぞれ以下の式により定義する。なお、面形状の原点を通り、光学面に垂直な直線がトーリック面の軸となる。面形状の原点に対してＸＹＺ直交座標系をとると、
Ｘトーリック面は、
Ｆ（Ｘ）＝Ｃｘ・Ｘ2 ／［１＋｛１−（１＋ｋ）Ｃｘ2 ・Ｘ2 ｝1/2 ］                                                ＋ａＸ4 ＋ｂＸ6 ＋ｃＸ8 ＋ｄＸ10・・・
Ｚ＝Ｆ（Ｘ）＋（１／２）Ｃｙ｛Ｙ2 ＋Ｚ2 −Ｆ（Ｘ）2 ｝        ・・・（ｂ）
Ｚ軸方向のＹ軸方向曲率Ｃｙの中心を通ってＸ軸に平行な軸の周りで曲線Ｆ（Ｘ）を回転する。その結果、その面はＸ−Ｚ面内で非球面になり、Ｙ−Ｚ面内で円になる。
【００４４】
Ｙトーリック面は、
Ｆ（Ｙ）＝Ｃｙ・Ｙ2 ／［１＋｛１−（１＋ｋ）Ｃｙ2 ・Ｙ2 ｝1/2 ］                                                ＋ａＹ4 ＋ｂＹ6 ＋ｃＹ8 ＋ｄＹ10・・・
Ｚ＝Ｆ（Ｙ）＋（１／２）Ｃｘ｛Ｘ2 ＋Ｚ2 −Ｆ（Ｙ）2 ｝        ・・・（ｃ）
Ｚ軸方向のＸ軸方向曲率Ｃｘの中心を通ってＹ軸に平行な軸の周りで曲線Ｆ（Ｙ）を回転する。その結果、その面はＹ−Ｚ面内で非球面になり、Ｘ−Ｚ面内で円になる。
【００４５】
ただし、Ｚは面形状の原点に対する接平面からのズレ量、ＣｘはＸ軸方向曲率、ＣｙはＹ軸方向曲率、ｋは円錐係数、ａ、ｂ、ｃ、ｄは非球面係数である。なお、Ｘ軸方向曲率半径Ｒｘ、Ｙ軸方向曲率半径Ｒｙと曲率Ｃｘ、Ｃｙとの間には、
Ｒｘ＝１／Ｃｘ，Ｒｙ＝１／Ｃｙ
の関係にある。
【００４６】
また、拡張回転自由曲面は、以下の定義で与えられる回転対称面である。
【００４７】
まず、Ｙ−Ｚ座標面上で原点を通る下記の曲線（ｄ）が定められる。
【００４８】
Ｚ＝（Ｙ2 ／ＲＹ）／［１＋｛１−（Ｃ1 ＋１）Ｙ2 ／ＲＹ2 ｝1 /2］
Ｃ2 Ｙ＋Ｃ3 Ｙ2 ＋Ｃ4 Ｙ3 ＋Ｃ5 Ｙ4 ＋Ｃ6 Ｙ5 ＋Ｃ7 Ｙ6 
＋・・・・＋Ｃ21Ｙ20＋・・・・＋Ｃn+1 Ｙn ＋・・・・
・・・（ｄ）
次いで、この曲線（ｄ）をＸ軸正方向を向いて左回りを正として角度θ（°）回転した曲線Ｆ（Ｙ）が定められる。この曲線Ｆ（Ｙ）もＹ−Ｚ座標面上で原点を通る。
【００４９】
その曲線Ｆ（Ｙ）をＺ正方向に距離Ｒ（負のときはＺ負方向）だけ平行移動し、その後にＹ軸の周りでその平行移動した曲線を回転させてできる回転対称面を拡張回転自由曲面とする。
【００５０】
その結果、拡張回転自由曲面はＹ−Ｚ面内で自由曲面（自由曲線）になり、Ｘ−Ｚ面内で半径｜Ｒ｜の円になる。
【００５１】
この定義からＹ軸が拡張回転自由曲面の軸（回転対称軸）となる。
【００５２】
ここで、ＲＹはＹ−Ｚ断面での球面項の曲率半径、Ｃ1 は円錐定数、Ｃ2 、Ｃ3 、Ｃ4 、Ｃ5 …はそれぞれ１次、２次、３次、４次…の非球面係数である。
【００５３】
なお、Ｙ軸に平行な軸を中心軸に持つ円筒面（Ｙシリンドリカル面）は、Ｙトーリック面の１つとして与えられ、Ｒｙ＝∞，ｋ，ａ，ｂ，ｃ，ｄ，…＝０とし、Ｒｘ＝（円筒面の半径）のＹトーリック面として与えられる。
【００５４】
また、Ｙ軸に平行な軸を中心軸に持つ円錐面は拡張回転自由曲面の１つとして与えられ、ＲＹ＝∞，Ｃ1 ，Ｃ2 ，Ｃ3 ，Ｃ4 ，Ｃ5 ，…＝０とし、θ＝（円錐面の傾き角）、Ｒ＝（Ｘ−Ｚ面内での底面の半径）として与えられる。
【００５５】
また、後記の構成パラメータ中にデータの記載されていない非球面に関する項は０である。屈折率、アッベ数については、ｄ線（波長５８７．５６ｎｍ）に対するものを表記してある。長さの単位はｍｍである。各面の偏心は、上記のように、基準面からの偏心量で表わす。
【００５６】
実施例１の光学系の回転中心軸１に沿ってとった断面図を図１に、その光学系内の光路を示す回転中心軸１に沿う方向に見た平面図を図２に示す。また、この実施例の光学系全体の横収差図を図３、図４に示す。ただし、図３は無限遠物点に焦点調節をしたときの横収差図、図４は回転中心軸１から１ｍの物点に焦点調節をしたときの横収差図である。これらの横収差図において、中央に示された角度は、垂直方向の画角を示し、その画角におけるＹ方向（メリジオナル方向）とＸ方向（サジタル方向）の横収差を示す。なお、マイナスの画角は、Ｘ軸正方向を向いて右回りの角度を意味する。以下、同じ。
【００５７】
本実施例は、１面の反射面２で構成されている撮像光学系であり、反射面２は正パワーを持つ球面で構成されており、像面（表示面）３は円錐面で構成されている。反射面２と像面（表示面）３は回転中心軸１に対して回転対称な面形状を持っている。そして、回転対称軸（回転中心軸）１のＹ軸上に入射瞳４と射出瞳５が距離をおいて配置されている。
【００５８】
この構成で、順光線追跡で、無限遠の物点（逆光線追跡では投影面）からの光は、入射瞳４を通って偏心配置の反射面２にＹ軸に対して斜めに偏心光路で入射し、そこで反射されてＹ軸上の入射瞳４から離れた射出瞳５に向かって進み、その間の像面（表示面）３に入射して物点の像を結像する。
【００５９】
このような偏心配置であるので、３６０°全方位方向からの光は、入射瞳４を経て反射面２に入射し、そこで反射されて像面３に入射し、上下画角１０°〜３０°の２０°の範囲で、結像することができる。
【００６０】
この実施例１の仕様は、
水平画角                          ３６０°
垂直画角                            ２０°
入射瞳径                        ２．００ｍｍ
像の大きさ        φ２０．００ｍｍ、高さ３．４０ｍｍの円錐面
であり、
ピント調整：∞→１ｍの場合、像面３をＹ軸方向に−１０．００→−９．９７に変化させる。
【００６１】
本実施例では、像面３を円錐面で構成するために、偏心収差により発生する像面の傾きを補正することが可能となる。撮像素子又は表示素子は扇形の可撓性の撮像素子又は表示素子を丸めることにより比較的簡単に構成することが可能である。
【００６２】
実施例２の光学系の回転中心軸１に沿ってとった断面図を図５に、その光学系内の光路を示す回転中心軸１に沿う方向に見た平面図を図６に示す。また、この実施例の光学系全体の横収差図を図７、図８に示す。
【００６３】
本実施例は、１面の反射面２で構成されている撮像光学系であり、反射面２はメリジオナル断面、サジタル断面共に正パワーを持つ拡張回転自由曲面で構成されており、像面（表示面）３は円筒面で構成されている。反射面２と像面（表示面）３は回転中心軸１に対して回転対称な面形状を持っている。そして、回転対称軸（回転中心軸）１のＹ軸上に入射瞳４と射出瞳５が距離をおいて配置されている。
【００６４】
そして、反射面２と像面３の間に本発明に基づき、屈折率が１より大きな透明媒質からなり、メリジオナル断面において断面が楔形状をしていてその楔形状体の外側に位置する回転中心軸１の周りにその楔形状を回転させて形成される輪帯状のピント調整用光学素子６が配置され、さらに、そのピント調整用光学素子６の断面楔形状体によりメリジオナル断面において光路が曲がるのを補償するために、ピント調整用光学素子６の入射側に略接して同様に屈折率が１より大きな透明媒質からなり、メリジオナル断面において断面がピント調整用光学素子６と反対向きの楔形状をしていてその楔形状体の外側に位置する回転中心軸１の周りにその楔形状を回転させて形成される輪帯状の光路補償用光学素子７が配置されており、ピント調整用光学素子６を回転中心軸１に沿って移動調節することでピント調整ピント調整を可能としている。
【００６５】
この構成で、順光線追跡で、無限遠の物点（逆光線追跡では投影面）からの光は、入射瞳４を通って偏心配置の反射面２にＹ軸に対して斜めに偏心光路で入射し、そこで反射されてＹ軸上の入射瞳４から離れた射出瞳５に向かって進み、光路補償用光学素子７とピント調整用光学素子６を経て射出瞳５の入射側の像面（表示面）３に入射して物点の像を結像する。
【００６６】
このような偏心配置であるので、３６０°全方位方向からの光は、入射瞳４を経て反射面４に入射し、そこで反射されて像面３に入射し、上下画角１０°〜３０°の２０°の範囲で、結像することができる。
【００６７】
この実施例２の仕様は、
水平画角                          ３６０°
垂直画角                            ２０°
入射瞳径                        ２．０８ｍｍ
像の大きさ        φ１７．６１ｍｍ、高さ３．６５ｍｍの円筒面
であり、
ピント調整：∞→１ｍの場合、ピント調整用光学素子６（後記の５面と６面）をＹ軸正方向に０．５２ｍｍに移動させる。
【００６８】
実施例３の光学系の回転中心軸１に沿ってとった断面図を図９に、その光学系内の光路を示す回転中心軸１に沿う方向に見た平面図を図１０に示す。また、この実施例の光学系全体の横収差図を図１１、図１２に示す。
【００６９】
本実施例は、１面の反射面２で構成されている撮像光学系であり、反射面２はメリジオナル断面、サジタル断面共に正パワーを持つ拡張回転自由曲面で構成されており、像面（表示面）３は円筒面で構成されている。反射面２と像面（表示面）３は回転中心軸１に対して回転対称な面形状を持っている。そして、回転対称軸（回転中心軸）１のＹ軸上に入射瞳４と射出瞳５が距離をおいて配置されている。
【００７０】
そして、反射面２と像面３の間に本発明に基づき、屈折率が１より大きな透明媒質からなり、メリジオナル断面において断面が楔形状をしていてその楔形状体の外側に位置する回転中心軸１の周りにその楔形状を回転させて形成される輪帯状のピント調整用光学素子６が配置されており、ピント調整用光学素子６を回転中心軸１に沿って移動調節することでピント調整ピント調整を可能としている。実施例２の光路補償用光学素子７を省いた構成になっている。
【００７１】
この構成で、順光線追跡で、無限遠の物点（逆光線追跡では投影面）からの光は、入射瞳４を通って偏心配置の反射面２にＹ軸に対して斜めに偏心光路で入射し、そこで反射されてＹ軸上の入射瞳４から離れた射出瞳５に向かって進み、ピント調整用光学素子６を経て射出瞳５の入射側の像面（表示面）３に入射して物点の像を結像する。
【００７２】
このような偏心配置であるので、３６０°全方位方向からの光は、入射瞳４を経て反射面４に入射し、そこで反射されて像面３に入射し、上下画角１０°〜３０°の２０°の範囲で、結像することができる。
【００７３】
この実施例３の仕様は、
水平画角                          ３６０°
垂直画角                            ２０°
入射瞳径                        ２．２７ｍｍ
像の大きさ        φ１７．６２ｍｍ、高さ３．５６ｍｍの円筒面
であり、
ピント調整：∞→１ｍの場合、ピント調整用光学素子６（後記の３面と４面）をＹ軸正方向に０．６８ｍｍに移動させる。
【００７４】
本実施例は、反射面２と像面（表示面）３の間に本発明に基づきピント調整用光学素子６を配置したものであり、メリジオナル断面の像面３の傾きを補正するために、ピント調整用光学素子６は、入射瞳４側で光路長が長く、射出瞳５側で光路長が短い断面楔形状にすることが重要である。
【００７５】
実施例４の光学系の回転中心軸１に沿ってとった断面図を図１３に、その光学系内の光路を示す回転中心軸１に沿う方向に見た平面図を図１４に示す。また、この実施例の光学系全体の横収差図を図１５、図１６に示す。
【００７６】
本実施例は、回転中心軸１を回転中心軸とする円環状であって断面反射プリズム状の反射光学素子１０で構成されている撮像光学系であり、反射光学素子１０は、屈折率が１より大きな透明媒質からなり、入射屈折面１１、反射面２を構成する内面反射面１２、射出屈折面１３で構成され、光学面１１、１２、１３は何れも回転中心軸１を回転対称軸とする回転対称面からなり、入射屈折面１１、射出屈折面１３はメリジオナル断面で正パワーを持つ拡張回転自由曲面で構成されており、内面反射面１２は円錐面で構成されており、像面（表示面）３は円筒面で構成されている。そして、回転対称軸（回転中心軸）１のＹ軸上にサジタル面における入射瞳４ｓと射出瞳５ｓが距離をおいて配置されており、かつ、メリジオナル面においては内面反射面１２の幅が絞り８ｍを構成している。
【００７７】
そして、射出屈折面１３と像面３の間に本発明に基づき、屈折率が１より大きな透明媒質からなり、メリジオナル断面において断面が楔形状をしていてその楔形状体の外側に位置する回転中心軸１の周りにその楔形状を回転させて形成される輪帯状のピント調整用光学素子６が配置されており、ピント調整用光学素子６を回転中心軸１に沿って移動調節することでピント調整ピント調整を可能としている。
【００７８】
この構成で、順光線追跡で、無限遠の物点（逆光線追跡では投影面）からの光は、サジタル面における入射瞳４ｓを通って偏心配置の入射屈折面１１から反射光学素子１０内に入射し、内面反射面１２にＹ軸に対して斜めに偏心光路で入射し、そこで反射されて射出屈折面１３から反射光学素子１０外に出てＹ軸上の入射瞳４ｓから離れたサジタル面における射出瞳５ｓに向かって進み、ピント調整用光学素子６を経て射出瞳５ｓの入射側の像面（表示面）３に入射して物点の像を結像する。
【００７９】
このような断面反射プリズム状の反射光学素子１０を用いた偏心配置であるので、３６０°全方位方向からの光は、サジタル面における入射瞳４ｓを経て反射光学素子１０に入射し、メリジオナル面における絞り８ｍを経て内面反射面１２に入射し、そこで反射されて反射光学素子１０を出て像面３に入射し、上下画角１０°〜５０°の４０°の広い画角範囲で結像することができる。
【００８０】
この実施例４の仕様は、
水平画角                          ３６０°
垂直画角                            ４０°
入射瞳径                        ２．００ｍｍ
像の大きさ        φ２１．４７ｍｍ、高さ１２．１７ｍｍの円筒面
であり、
ピント調整：∞→１ｍの場合、ピント調整用光学素子６（後記の５面と６面）をＹ軸負方向に０．４１ｍｍに移動させる。
【００８１】
本実施例は、メリジオナル断面内では、絞り８ｍを反射面２（１２）位置に配置しており、サジタル断面では、入射瞳４ｓと射出瞳５ｓを回転対称軸１上の離れた位置に配置しているので、有効光束径が特にＹ軸方向で小さくなり、像面３と干渉しない。その結果、上下方向の画角を広くとった全方位光学系を構成することが可能となる。
【００８２】
以下に、上記実施例１〜４の構成パラメータを示す。なお、以下の表中の“ＹＴＲ”はＹトーリック面、“ＥＲＦＳ”は拡張回転自由曲面を示す。また、“ＲＥ”は反射面をそれぞれ示す。
【００８３】
実施例１
面番号    曲率半径                面間隔  偏心      屈折率  アッベ数
物体面      ∞                      ∞        
1        ∞（入射瞳）                          
2      -18.73（ＲＥ）                  偏心(1) 
3        ∞（射出瞳）                  偏心(2) 
像  面    ＥＲＦＳ[1]                     偏心(3) 
ＥＲＦＳ[1] 
ＲＹ    ∞
θ     -10.00 
Ｒ      10.00 
偏心(1) 
Ｘ    0.00  Ｙ   -6.82  Ｚ   18.73  
α    0.00  β    0.00  γ    0.00  
偏心(2) 
Ｘ    0.00  Ｙ  -13.64  Ｚ    0.00  
α    0.00  β    0.00  γ    0.00  
偏心(3) 
Ｘ    0.00  Ｙ  -10.00  Ｚ    0.00  
α    0.00  β    0.00  γ    0.00                                          。
【００８４】
実施例２
面番号    曲率半径                面間隔  偏心      屈折率  アッベ数
物体面      ∞                      ∞        
1        ∞（入射瞳）                  
2      ＥＲＦＳ[1] （ＲＥ）            偏心(1) 
3      ＥＲＦＳ[2]                     偏心(2)   1.5163    64.1
4      ＥＲＦＳ[3]                     偏心(3) 
5      ＥＲＦＳ[4]                     偏心(3)   1.5163    64.1
6      ＥＲＦＳ[5]                     偏心(4) 
7        ∞（射出瞳）                  偏心(5) 
像  面    ＹＴＲ[1]                       偏心(6) 
ＥＲＦＳ[1] 
ＲＹ   -20.93 
θ       0.00 
Ｒ      18.74 
Ｃ4      1.4502 ×10-4
Ｃ5     -6.8816 ×10-6
ＥＲＦＳ[2] 
ＲＹ    ∞
θ      15.00 
Ｒ      11.50 
ＥＲＦＳ[3] 
ＲＹ    ∞
θ       0.00 
Ｒ      10.50 
ＥＲＦＳ[4] 
ＲＹ    ∞
θ       0.00 
Ｒ      10.50 
ＥＲＦＳ[5] 
ＲＹ    ∞
θ      15.00 
Ｒ       9.50 
ＹＴＲ[1] 
Ｒｘ    -8.81 
Ｒｙ    ∞
偏心(1) 
Ｘ    0.00  Ｙ   -6.82  Ｚ    0.00  
α    0.00  β    0.00  γ    0.00  
偏心(2) 
Ｘ    0.00  Ｙ  -10.00  Ｚ    0.00  
α    0.00  β    0.00  γ    0.00  
偏心(3) 
Ｘ    0.00  Ｙ  -10.00  Ｚ    0.00  
α    0.00  β    0.00  γ    0.00  
偏心(4) 
Ｘ    0.00  Ｙ  -10.00  Ｚ    0.00  
α    0.00  β    0.00  γ    0.00  
偏心(5) 
Ｘ    0.00  Ｙ  -13.58  Ｚ    0.00  
α    0.00  β    0.00  γ    0.00  
偏心(6) 
Ｘ    0.00  Ｙ  -10.37  Ｚ    0.00  
α    0.00  β    0.00  γ    0.00                                          。
【００８５】
実施例３
面番号    曲率半径                面間隔  偏心      屈折率  アッベ数
物体面      ∞                      ∞        
1        ∞（入射瞳）                  
2      ＥＲＦＳ[1] （ＲＥ）            偏心(1) 
3      ＥＲＦＳ[2]                     偏心(2)   1.5163    64.1
4      ＥＲＦＳ[3]                     偏心(3) 
5        ∞（射出瞳）                  偏心(4) 
像  面    ＹＴＲ[1]                       偏心(5) 
ＥＲＦＳ[1] 
ＲＹ   -20.45 
θ       0.00 
Ｒ      18.41 
Ｃ4      8.8426 ×10-5
Ｃ5     -2.9824 ×10-6
ＥＲＦＳ[2] 
ＲＹ    ∞
θ       0.00 
Ｒ      10.05 
ＥＲＦＳ[3] 
ＲＹ    ∞
θ      15.00 
Ｒ       9.50 
ＹＴＲ[1] 
Ｒｘ    -8.81 
Ｒｙ    ∞
偏心(1) 
Ｘ    0.00  Ｙ   -6.70  Ｚ    0.00  
α    0.00  β    0.00  γ    0.00  
偏心(2) 
Ｘ    0.00  Ｙ  -10.00  Ｚ    0.00  
α    0.00  β    0.00  γ    0.00  
偏心(3) 
Ｘ    0.00  Ｙ  -10.00  Ｚ    0.00  
α    0.00  β    0.00  γ    0.00  
偏心(4) 
Ｘ    0.00  Ｙ  -11.83  Ｚ    0.00  
α    0.00  β    0.00  γ    0.00  
偏心(5) 
Ｘ    0.00  Ｙ   -9.96  Ｚ    0.00  
α    0.00  β    0.00  γ    0.00                                          。
【００８６】
実施例４
面番号    曲率半径                面間隔  偏心      屈折率  アッベ数
物体面      ∞                      ∞        
1        ∞（入射瞳サジタル）          
2      ＥＲＦＳ[1]                     偏心(1)   1.5163    64.1
3      ＥＲＦＳ[2] （ＲＥ）            偏心(2)   1.5163    64.1
（絞り面  メリジオナル）
4      ＥＲＦＳ[3]                     偏心(3) 
5      ＥＲＦＳ[4]                     偏心(4)   1.5163    64.1
6      ＥＲＦＳ[5]                     偏心(5) 
7        ∞（射出瞳サジタル）          偏心(6) 
像  面    ＹＴＲ[1]                       偏心(7) 
ＥＲＦＳ[1] 
ＲＹ    11.24 
θ     -38.65 
Ｒ      19.21 
Ｃ4      2.6602 ×10-4
Ｃ5     -2.6146 ×10-4
ＥＲＦＳ[2] 
ＲＹ    ∞
θ      -3.66 
Ｒ      25.00 
ＥＲＦＳ[3] 
ＲＹ    20.25 
θ      43.56 
Ｒ      19.38 
Ｃ4      1.9608 ×10-3
Ｃ5     -1.9818 ×10-4
ＥＲＦＳ[4] 
ＲＹ    ∞
θ      40.00 
Ｒ      18.00 
ＥＲＦＳ[5] 
ＲＹ    ∞
θ      30.00 
Ｒ      16.00 
ＹＴＲ[1] 
Ｒｘ   -10.74 
Ｒｙ    ∞
偏心(1) 
Ｘ    0.00  Ｙ  -11.09  Ｚ    0.00  
α    0.00  β    0.00  γ    0.00  
偏心(2) 
Ｘ    0.00  Ｙ  -14.85  Ｚ    0.00  
α    0.00  β    0.00  γ    0.00  
偏心(3) 
Ｘ    0.00  Ｙ  -17.54  Ｚ    0.00  
α    0.00  β    0.00  γ    0.00  
偏心(4) 
Ｘ    0.00  Ｙ  -18.00  Ｚ    0.00  
α    0.00  β    0.00  γ    0.00  
偏心(5) 
Ｘ    0.00  Ｙ  -18.00  Ｚ    0.00  
α    0.00  β    0.00  γ    0.00  
偏心(6) 
Ｘ    0.00  Ｙ  -16.07  Ｚ    0.00  
α    0.00  β    0.00  γ    0.00  
偏心(7) 
Ｘ    0.00  Ｙ  -20.86  Ｚ    0.00  
α    0.00  β    0.00  γ    0.00                                          。
【００８７】
以上、実施例１〜４に基づいて本発明の光学系を説明してきたが、以上の実施例の光学系で、入射瞳４（４ｓ）から離れて物体側に回転中心軸１と同心にＹトーリックレンズを付加し、このＹトーリックレンズもＹ軸（回転中心軸１）に対して回転対称な面で構成されたレンズにし、このトーリックレンズはＸ方向にはパワーを持たせないで、一方、Ｙ方向（図１の断面内等）には負のパワーを持たせることにより、回転対称軸１を含む断面方向の画角をより大きくとることが可能となる。さらに好ましくは、このトーリックレンズはＹ−Ｚ断面内では物体側に凸面を向け負のメニスカスレンズ形状に構成することにより、像歪の発生を最小にすることが可能となり、良好な収差補正が可能となる。
【００８８】
さらに、入射瞳４（４ｓ）の物体側には、断面が負メニスカスレンズ形状の１つのＹトーリックレンズに限らず、２枚又は３枚のメニスカス形状のレンズで構成することにより、より像歪の発生を小さくすることが可能である。また、レンズに限らず、回転中心軸１に対して回転対称な反射面やプリズムにより光線を反射屈折させて任意の方向を投影あるいは撮像させることも容易である。
【００８９】
また、本発明の光学系の回転中心軸１の周りで回転対称な反射面４、反射光学素子１０はそのまま用いることにより、３６０°全方位の画角を有する映像を撮影したり投影できるが、その反射面４、反射光学素子１０を回転中心軸１を含む断面で切断して２分の１、３分の１、３分の２等にすることにより、中心軸１の周りの画角が１８０°、１２０°、２４０°等の映像を撮影したり投影するようにしてもよい。
【００９０】
以上、本発明の光学系を回転中心軸（回転対称軸）１を垂直方向に向けて３６０°全方位（全周）遠方からの映像を円筒状の像面に結像させる撮像光学系として説明してきたが、光路を逆にとって、回転中心軸（回転対称軸）１を垂直方向に向けて３６０°全方位（全周）の遠方の円筒状あるいは半球状のスクリーン等の上に、円筒状、円錐状等の立体形状の表示面の像を投影する投影光学系としても使用可能である。
【００９１】
さらに、像面３は円筒面に限らず、円錐面、球面等の回転対称な曲面形状でもよい。
【００９２】
また、トーリック面、拡張回転自由曲面をフレネル面で構成することもできる。また、本発明の光学系は、内視鏡等の管内観察装置の全周観察光学系として用いることもできる。また、反射面は、円周方向に溝を切ったリニアフレネル反射面を筒状にしても構成可能である。
【００９３】
図１７に本発明の光学系をパノラマ撮影光学系として使用する場合の概略の光路（ａ）と、パノラマ投影光学系として使用する場合の概略の光路（ｂ）を示す。パノラマ撮影光学系として使用する場合、図１７（ａ）に示すように、本発明の光学系２０の回転対称軸１と同心に円筒面、円錐面等の回転対称な立体形状の撮像面３を持つ撮像素子２１を配置し、その光学系２０に３６０°全方位物体からの光２３を入射させることで、撮像面３にそのパノラマ像を結像させることができ、撮像することができる。
【００９４】
パノラマ投影光学系として使用する場合、図１７（ｂ）に示すように、本発明の光学系２０の回転対称軸１と同心に円筒面、円錐面等の回転対称な立体形状の表示面３を持つ表示素子２５を配置し、その表示面３に投影すべき全方位画像を表示させ、表示素子２５の表示面３の背後に配置した照明光源２６を点灯すると、その表示面３からの投影光２７は光学系２０を経て遠方の円筒状あるいは半球状のスクリーン等の上に全方位画像を投影することができる。
【図面の簡単な説明】
【００９５】
【図１】本発明の実施例１の光学系の回転中心軸に沿ってとった断面図である。
【図２】実施例１の光学系内の光路を示す回転中心軸に沿う方向に見た平面図である。
【図３】実施例１の光学系を無限遠物点に焦点調節をしたときの横収差図である。
【図４】実施例１の光学系を回転中心軸から１ｍの物点に焦点調節をしたときの横収差図である。
【図５】本発明の実施例２の光学系の回転中心軸に沿ってとった断面図である。
【図６】実施例２の光学系内の光路を示す回転中心軸に沿う方向に見た平面図である。
【図７】実施例２の光学系を無限遠物点に焦点調節をしたときの横収差図である。
【図８】実施例２の光学系を回転中心軸から１ｍの物点に焦点調節をしたときの横収差図である。
【図９】本発明の実施例３の光学系の回転中心軸に沿ってとった断面図である。
【図１０】実施例３の光学系内の光路を示す回転中心軸に沿う方向に見た平面図である。
【図１１】実施例３の光学系を無限遠物点に焦点調節をしたときの横収差図である。
【図１２】実施例３の光学系を回転中心軸から１ｍの物点に焦点調節をしたときの横収差図である。
【図１３】本発明の実施例４の光学系の回転中心軸に沿ってとった断面図である。
【図１４】実施例４の光学系内の光路を示す回転中心軸に沿う方向に見た平面図である。
【図１５】実施例４の光学系を無限遠物点に焦点調節をしたときの横収差図である。
【図１６】実施例４の光学系を回転中心軸から１ｍの物点に焦点調節をしたときの横収差図である。
【図１７】本発明の光学系をパノラマ撮影光学系として使用する場合の概略の光路（ａ）とパノラマ投影光学系として使用する場合の概略の光路（ｂ）を示す図である。
【符号の説明】
【００９６】
１…回転中心軸（回転対称軸）
２…反射面
３…像面（表示面）
４…入射瞳
４ｓ…サジタル面における入射瞳
５…射出瞳
５ｓ…サジタル面における射出瞳
６…ピント調整用光学素子
７…光路補償用光学素子
８ｍ…絞り
１０…反射光学素子
１１…入射屈折面
１２…内面反射面
１３…射出屈折面
２０…光学系（本発明）
２１…撮像素子
２３…物体からの光
２５…表示素子
２６…照明光源
２７…投影光
【図１】
2007183308.tif 000003
【図２】
2007183308.tif 000004
【図３】
2007183308.tif 000005
【図４】
2007183308.tif 000006
【図５】
2007183308.tif 000007
【図６】
2007183308.tif 000008
【図７】
2007183308.tif 000009
【図８】
2007183308.tif 000010
【図９】
2007183308.tif 000011
【図１０】
2007183308.tif 000012
【図１１】
2007183308.tif 000013
【図１２】
2007183308.tif 000014
【図１３】
2007183308.tif 000015
【図１４】
2007183308.tif 000016
【図１５】
2007183308.tif 000017
【図１６】
2007183308.tif 000018
【図１７】
2007183308.tif 000019